(57)【特許請求の範囲】
【請求項１】
歯付ベルトに装着して使用するベルト用プロファイルであって、物品を磨くブラシを有し前記歯付ベルトの背面側に配置されるプロファイル本体と、該プロファイル本体との間に歯付ベルトの側縁部の歯底部分を挟持するよう前記歯付ベルトの側縁部かつ歯面側に配置される爪部とを備え、前記爪部が、歯付ベルト側面の外側を通る連結部を介してプロファイル本体と一体に形成されたことを特徴とするベルト用プロファイル。
【請求項２】
前記ブラシは、ブラシ材が植毛されたブラシユニットとされ、該ブラシユニットがプロファイル本体に着脱自在とされたことを特徴とする請求項１に記載のベルト用プロファイル。
【請求項３】
請求項１又は２に記載のベルト用プロファイルを備えたことを特徴とするブラシ付きベルト。
【発明の詳細な説明】
【技術分野】
【０００１】
本発明は、ガラスや自動車の車体などを磨くためのブラシを有し、歯付ベルトに装着して使用するベルト用プロファイル及びブラシ付きベルトに関するものである。
【背景技術】
【０００２】
一般に、ガラスや自動車の車体などを磨くためのベルトは、ベルトの背面に直接ブラシ材を植毛加工した構造とされ、ベルトを回転駆動しながらベルト背面のブラシを押し当てることにより、物品の汚れを清掃するようになっている。
【０００３】
ただ、ブラシ材を直接植毛したベルトは、そのブラシに汚れや摩耗などが生じることにより、ベルト本体に損傷や老朽化が生じていなくとも、ベルト全体を交換する必要があるため、ブラシの交換に要する時間が長くなると共に、そのコストが高くなりやすい。
【０００４】
これに対して、例えば特許文献１は、ブラシを取り替え自在に設けた歯付ベルトを開示している。図１０に示すように、ベルト本体１０１の背面には、ブラシ植毛シート１０２が面ファスナ１０３を介して取り外し可能に貼り合わされ、ブラシの汚れや摩耗が生じた際、ベルト本体１０１からブラシ植毛シート１０２を取り外して交換し、ベルト本体１０１はそのまま再使用するようにしている。
【先行技術文献】
【特許文献】
【０００５】
【特許文献１】特開平５−２９６２９３（段落番号０００５〜０００７、図１）
【発明の概要】
【発明が解決しようとする課題】
【０００６】
ところが、特許文献１のベルトに用いられている面ファスナは、ベルト本体とブラシ植毛シートとを広い面積で貼り合わせる分、両者をずれることなく強固に貼り合わせるものの、ブラシ植毛シートの一部が剥がれることにより、そこから一気に全体が剥がれて脱落するおそれがある。
【０００７】
特に、清掃用のブラシを設けたベルトは、比較的に高速で回転させることが多く、ブラシ植毛シートを強固に貼り合わせている分、万が一、物品にブラシが引っ掛かるなどした場合には、面ファスナが受ける衝撃力も大きく、ブラシ植毛シートの一部から全体に及ぶ剥がれを生じやすい。
【０００８】
本発明は、ブラシを容易に交換することができ、しかも、ベルトからのブラシの脱落を防止することのできるベルト用プロファイル及びブラシ付きベルトの提供を目的とする。
【課題を解決するための手段】
【０００９】
上記目的を達成するために、本発明に係るベルト用プロファイルは、歯付ベルトに装着して使用するものであり、物品を磨くブラシを有して歯付ベルトの背面側に配置するプロファイル本体と、このプロファイル本体との間に歯付ベルトの側縁部の歯底部分を挟持するよう歯付ベルトの側縁部かつ歯面側に配置する爪部とを備え、その爪部を歯付ベルト側面の外側を通る連結部を介してプロファイル本体と一体に形成したものである。
【００１０】
上記構成によれば、プロファイル本体と爪部とを連結部を介して一体に形成するので、歯付ベルトの側縁部をプロファイル本体と爪部との間に挿入することにより、ブラシ付きのプロファイルを歯付ベルトに装着して、ベルト背面側にブラシを設けることができる。しかも、歯付ベルトの側縁部は、例えば歯付ベルトをベルト幅方向に湾曲させるなどして、プロファイル本体と爪部との間に容易に挿抜することができるので、歯付ベルトにプロファイルを容易に着脱して、ブラシを交換することができる。
【００１１】
さらに、プロファイル本体と爪部とで歯付ベルトの側縁部の歯底部分を挟持するので、プロファイルに強い力が作用した場合には、歯付ベルトに対するプロファイルの僅かな変位を許容しつつ、その変位を爪部のベルト歯部への係止によって制限することができる。これにより、突然に磨き面にブラシが引っ掛かるなどして衝撃力が作用した場合には、ブラシに作用する衝撃力を緩和しつつ、過度の変位を阻止することができ、歯付ベルトからのブラシ付きプロファイルの脱落を防止することができる。
【００１２】
また、ブラシとして、ブラシ材を植毛したブラシユニットを備え、このブラシユニットをプロファイル本体に着脱自在とした構成も採用可能である。この構成によれば、ブラシユニットのみを異なる種類のものに交換することにより、プロファイルのうちのブラシユニットを除く部分の共通化を図りつつ、ブラシの硬さや毛の長さなどを適宜選択することができる。
【００１３】
また、歯付ベルトに上記のベルト用プロファイルを備えてブラシ付きベルトを構成することにより、上記のベルト用プロファイルの構成を採用することによる効果と同じ効果を奏する。
【発明の効果】
【００１４】
以上のとおり、本発明によると、プロファイル本体と爪部とを連結部を介して一体に形成し、プロファイル本体及び爪部で歯付ベルトの歯底部分を挟持して、ブラシ付きのプロファイルを歯付ベルトに装着するようにしている。これにより、ベルト背面側のブラシを容易に交換することができるので、一部のブラシが損傷した場合には、その損傷したブラシのプロファイルのみを交換し、ブラシ全体が老朽化した場合には、歯付ベルトをそのままにして全てのプロファイルのみを交換すればよく、ベルト全体の交換を不要にすることができる。
【００１５】
さらに、プロファイル本体と爪部とで歯付ベルトの歯底部分を挟持するので、万が一、プロファイルに衝撃力が作用したとしても、その衝撃力を緩和しつつ過度の変位を阻止して、歯付ベルトからのブラシ付きプロファイルの脱落を防止することができる。
【図面の簡単な説明】
【００１６】
【図１】本発明に係るブラシ付きベルトの側面図
【図２】ブラシ付きベルトの平面図
【図３】プロファイルの正面図
【図４】プロファイルの平面図
【図５】プロファイルの側面図
【図６】プロファイルの底面図
【図７】別の形態のプロファイルの平面図
【図８】図７のプロファイルの側面図
【図９】図８のプロファイルのユニット取外状態を示す図で、（ａ）はブラシユニットの側面図、（ｂ）はプロファイルの側面図
【図１０】従来のブラシ付ベルトの斜視図
【発明を実施するための形態】
【００１７】
以下、本発明に係るベルト用プロファイル及びブラシ付きベルトを実施するための形態について、図面を用いて説明する。
【００１８】
図１、図２に示すように、ブラシ付きベルト１は、例えば、ガラスや自動車の車体、その他の鉄板などを磨くためのものであり、ブラシ２を有する所望の個数のプロファイル３を歯付ベルト４に装着することにより、ベルト背面側にブラシ２を配した構成とされ、このブラシ付きベルト１を回転駆動しながらブラシ２を押し当てて、物品の汚れを清掃するようになっている。
【００１９】
図３〜図６に示すように、プロファイル３は、例えば合成樹脂からなり、歯付ベルト４の背面側に配置されるプロファイル本体５と、プロファイル本体５との間に歯付ベルト４の側縁部４ａの歯底部分を挟持するよう歯付ベルト４の側縁部４ａかつ歯面側に配置される爪部６と、歯付ベルト４の側面の外側を通ってプロファイル本体５及び爪部６を連結するよう両者５、６と一体に形成された連結部７とを備え、そのプロファイル本体５の背面にブラシ２が設けられている。
【００２０】
歯付ベルト４は、歯付プーリのプーリ歯に噛み合うベルト歯８を有すると共に、そのベルト幅が歯付プーリの中心軸方向長さよりも幅広に設定されている。これにより、歯付プーリに掛巻した歯付ベルト４のうち、プロファイル本体５と爪部６とで挟持される側縁部４ａが、歯付プーリからベルト幅方向に突出し、歯付ベルト４と歯付プーリとの噛み合いが爪部６によって阻害されるのを防止する。
【００２１】
プロファイル本体５は、両端部が歯付ベルト４のベルト幅方向両側に突出する長さの略長方形の板状とされ、その背面に、例えばナイロン製の複数本のブラシ材を植毛してブラシ２が設けられ、底面が歯付ベルト４のベルト背面に接するように配置される。
【００２２】
爪部６は、歯付ベルト４のベルト歯８の歯溝に嵌る断面略正方形に形成され、歯付ベルト４の歯面側に配置されることにより、側縁部４ａの歯底部分をプロファイル本体５との間に挟持しつつ、歯付ベルト４のベルト歯８に係止されて、ベルト長手方向への位置ずれを阻止する。
【００２３】
連結部７は、例えば逆台形の板状とされ、歯付ベルト４のベルト幅とほぼ同じ間隔をあけて、プロファイル本体５の底面からベルト歯面側に突出するよう形成され、その先端部からベルト幅方向内向きに爪部６が突出形成されている。
【００２４】
プロファイル３を歯付ベルト４に装着するには、歯付ベルト４をベルト幅方向に湾曲させて、その両側縁部４ａをプロファイル本体５と爪部６との間に挿入するようにして、爪部６をベルト歯８の歯溝に嵌め、プロファイル本体５と爪部６とで側縁部４ａの歯底部分を挟持する。これにより、プロファイル３が歯付ベルト４に装着され、また、反対の手順でプロファイル３を歯付ベルト４から取り外すことができる。
【００２５】
上記構成によれば、ブラシ２を有するプロファイル３を歯付ベルト４に装着してベルト背面にブラシ２を設けるので、ブラシ２が損傷したり老朽化したときには、プロファイル３のみを交換して、歯付ベルト４をそのまま使用することができる。しかも、小形かつ合成樹脂製のプロファイル３へのブラシ材の植毛は、大形かつゴム製の歯付ベルト４への植毛よりも容易であり、歯付ベルト４の製造コストをも低減することができる。
【００２６】
また、プロファイル本体５と爪部６とで側縁部４ａの歯底部分を挟持して装着するので、万が一、ブラシ２が磨き作業中にブラシ２が引っ掛かったとしても、プロファイル３が僅かに変位して衝撃を吸収すると共に、爪部６がベルト歯８に係止されて過度の変位を規制することができ、プロファイル３の脱落を阻止することができる。
【００２７】
なお、本発明は、上記の実施の形態に限定されるものではなく、本発明の範囲内において、適宜変更を加えることができる。例えば、図７〜図９に示すように、ブラシ材を植毛したブラシユニット９を設け、このブラシユニット９を、プロファイル本体１０に形成したスライド溝１１に、側方からスライドさせながら着脱するようにしてもよい。これにより、用途に応じて、ブラシ材の硬さや長さの異なるブラシユニット９を使い分けつつ、プロファイル本体１０の共通化を図ることができる。
【００２８】
また、歯付ベルト４をベルト幅方向に湾曲させてプロファイルを装着する代わりに、プロファイルをベルト幅方向に分割して形成しておき、歯付ベルト４をベルト幅方向に挟むようにして、分割したプロファイルを組み立てることにより、歯付ベルト４にプロファイルを装着するようにしてもよい。
【符号の説明】
【００２９】
１    ブラシ付きベルト
２    ブラシ
３    プロファイル
４    歯付ベルト
４ａ  側縁部
５    プロファイル本体
６    爪部
７    連結部
８    ベルト歯
９    ブラシユニット
１０  プロファイル本体
１１  スライド溝
【図１】
0005491280.tif 000002
【図２】
0005491280.tif 000003
【図３】
0005491280.tif 000004
【図４】
0005491280.tif 000005
【図５】
0005491280.tif 000006
【図６】
0005491280.tif 000007
【図７】
0005491280.tif 000008
【図８】
0005491280.tif 000009
【図９】
0005491280.tif 000010
【図１０】
0005491280.tif 000011